(57)【要約】【課題】ウエストサイズを調節できるズボンを提供する。【解決手段】ウェスト部に設けたゴム通し部にゴムを通し、該ゴム通し部に通しているゴムの長さを調節出来るズボンであって、前記ゴム通し部にゴム引出穴を少なくとも一箇所設けると共に、一端を前記ゴム通し部に固定した前記ゴムに一定間隔をあけて複数のボタン穴を設け、前記ゴム引出し穴からウエストサイズに合わせてゴムを引出し、前記ゴム引出穴近傍にボタンを少なくとも一つ設け、前記ボタンを前記ボタン穴に通して止めることにより、前記ゴム通し部より引き出すゴムの長さを変えてウエスト周囲長さを調節可能としていることを特徴とするズボン。左右脇ゴムズボンのデザインは左右のウェストに同様の装置を設けることも可能とする。【選択図】図１
2009191431.tif 000002
【特許請求の範囲】
【請求項１】
ウェスト部に設けたゴム通し部にゴムを通し、該ゴム通し部に通しているゴムの長さを調節出来るズボンであって、前記ゴム通し部にゴム引出し穴を少なくとも一箇所設けると共に、一端を前記ゴム通し部に固定した前記ゴムに一定間隔をあけて複数のボタン穴を設け、前記ゴム引出し穴からウエストサイズに合わせてゴムを引出し、前記ゴム引出し穴近傍にボタンを少なくとも一つ設け、前記ボタンを前記ボタン穴に通して止めることにより、前記ゴム通し部より引出すゴムの長さを変えてウエスト周囲長さを調節可能としていることを特徴とするズボン。
【発明の詳細な説明】
【技術分野】
【０００１】本発明はウエスト部に通すゴムの長さを調節出来るズボンに関する。
【背景技術】
【０００２】従来は、ウエスト部に環状のゴムを使用し、ウエストサイズに併せてゴムを引出し、調節するズボンがあった（特許文献１）。
【特許文献１】特開２００４−１６２２０２号公報
【発明の開示】
【発明が解決しようとする課題】
【０００３】特許文献１のようなズボンは、パジャマ、ニットズボン、インナ−パンツには適するかも知れないがアウタ−ズボンとしてはデザイン的、機能的に問題がありアウタ−ズボンに装置しようとすれば機能的に見ても実用的、美的感覚から見ても違和感がある。
アウタ−ズボンに関して３箇所の調節で３ｃｍ相当の平ゴム幅のゴムを入れ、しかも二つに折り曲げて調節ボタンに止めると、本発明のゴムを通したとき、ごわごわしてウエスト部に、違和感を感じ実用的且つ機能性がない。又３箇所の調節ゴムはデザイン的に見ても美しくない。
ゴム調節も面倒さを感じさせますし、アウタ−ズボンとしては実用的でない。
【課題を解決するための手段】
【０００４】本発明者は、上記課題を解決するため鋭意検討した結果、本発明を完成させた。即ち本発明は、ウェスト部に設けたゴム通し部にゴムを通し、該ゴム通し部に通しているゴムの長さを調節出来るズボンであって、前記ゴム通し部にゴム引出し穴を少なくとも一箇所設けると共に、一端を前記ゴム通し部に固定し、前記ゴムに一定間隔をあけて複数のボタン穴を設け、前記ゴム引出し穴からウエストサイズに合わせてゴムを引出し、前記ゴム引出し穴近傍にボタンを少なくとも一個ないし二個設け、前記ボタンを前記ボタン穴に通して止めることにより、前記ゴム通し部より引き出すゴムの長さを変えてウエスト周囲長さを調節可能としていることを特徴とするズボンである。
【発明の効果】
【０００５】他の文献と比較するとインナ−やパジャマ・ニットパンツなどの素材デザインに適するかも知れないが、本発明は主にアウタ−ズボンに用いられそれらとは大きく異なる。
本発明は、ゴム調節穴はウエスト左右の何れか一方、若しくはデザインによってウエスト左右それぞれ一箇所に装置するもので、特許文献１の様な構造と、まったく異なるものである。
本発明は幅広平ゴムの調節ゴムでウェスト調節部に違和感はなく、且つデザイン的に見てもスッキリ感がありウエスト調節も簡単に出来る装置である。
商品選びをするとき、総丈、股下、ヒップ、ワタリの寸法は良いがウェストが大きい、小さい、の問題がありヒップラインや全体のシルエットが崩れファッション性に欠ける。違和感を解消する為の装置でこれらの条件を解決満たすものである。尚且つ、縫製が比較的簡単で安価な価格で縫製出来るのが特徴である。
【発明を実施するための最良の形態】
【０００６】以下、本発明の実施の形態を、図面を参照して説明する。
図１は本発明の実施形態を示した斜視図で、図１に示す総ゴムズボン１は図２のｆの中側で、図２のｃのゴム端を縫い止め、図２ウエストゴムｃを右回りに通し図３のｅの穴から所要長さを引出し図４の５の調節ボタン穴に着用者の寸法に合わせて止める。【０００７】図４のｇの穴の寸法は１３ｍｍで図４の５は４段のウエスト調節が出来る穴である。図４のｉのボタン穴の間隔は４センチである。ボタンの大きさは１５ｍｍである。
図４の６はゴムを寸法に合わせたて切った場合のほつれ防止縫いである。
ゴムをカットする時は、ほつれ止め縫い図４の６の横２〜３ｍｍ離して図５のｉ部分を切り取る。【０００８】図６は本発明の実施の形態を示した脇半ゴムズボンの斜視図で、図６に示す半ゴムズボン７は図７のｊで示す中側部分を縫い止めし図７のｐから所要長さを引き出し図７のｋのボタンに止める。【０００９】図７は図６の斜視図左側部分の半ゴムを止めた状態を表した図である【００１０】図８は脇ゴムを通さない状態で内側ゴム止め位置と調節ゴム引き出し穴と調節ゴム止めボタン図である。【００１１】図９は図６の斜視図の右側の脇ゴム装置の透視図である。
ｒは調節ゴムの引き出し穴でｑは調節ゴム止めボタンである。【００１２】図１０は調節ゴムの穴の位置図とｓの寸法は１５ｍｍでボタンの間隔ｔは２ｃｍである事を示す図である。
本発明の全ての寸法は参考基準で、ボタン穴や穴の間隔、ゴム幅、ボタンの大きさ寸法は適時デザインや素材で変えられるものであるが基本装置は同じである。
【図面の簡単な説明】
【００１３】
【図１】本発明の総ゴムズボンの斜視図である。
【図２】ウエストゴム引出し穴と一方のゴム端内側縫い止め部と調節ボタン図である。
【図３】ウェストゴムを引き出し調節ゴムに止めた状態図である。
【図４】ウェストゴム調節穴間隔とゴムほつれ防止縫い位置図である。
【図５】調節ボタンを止めた状態でゴムの余しろのカット図である。
【図６】脇ゴムズボンの斜視図である。
【図７】脇左側の調節ゴムの内側止め位置と調節ゴムを引き出し調節ボタンに装置した図である。
【図８】脇ゴム止め図とゴム取り出し口とボタンの位置図である。
【図９】本発明の脇ゴムズボンの斜視図の右側の透視図である。
【図１０】脇ゴム装置のボタン穴の間隔とほつれ防止縫い位置図である。
【符号の説明】
【００１４】ａ  ゴム調節止めボタン
ｂ  ゴム調節止めボタン
ｃ  環状ゴム・ゴム幅は３ｃｍ
ｄ  前身頃。後身頃合わせ脇線
ｅ  環状ゴム引き出穴図
ｆ  環状ゴム片方固定ステッチ図
ｇ  ボタン穴の長さ１５ｍｍ
ｈ  調節釦穴間隔  ４ｃｍ
ｉ  余ゴムのカット図
ｊ  左脇ゴムの片方の止位置図
ｋ  脇ゴム調節止めボタン図
ｌ  右脇ゴム調節ボタン位置図
ｍ  右脇ゴム止め位置図
ｎ  脇調節ゴム
ｏ  左脇線
ｐ  左脇調節ゴム引き出し穴  ゴム幅３ｃｍ
ｑ  右側調節ゴム止めボタン透視図
ｒ  右側調節ゴム引き出し穴透視図
ｓ  調節ゴム、ボタン穴図  穴の長さ１３ｍｍ
ｔ  調節ゴム、ボタン穴間隔は２ｃｍ
１・総ゴムズボン斜視図
２・ウェストゴム
３・ウエストゴム通し部
４・左脇ポケット
５・ウェストゴムボタン止め穴
６・ゴムほつれ止めミシンステッチ
７・左右脇ゴム調節ズボン斜視図
８・左前内ポケット
９・前身頃中心
１０・右脇ポケット透視図
１１・右前身頃
１２・脇ゴム調節ボタン穴図
１３・調節ゴムほつれ止め位置図
１４・ゴム幅  ３ｃｍ
【図１】
2009191431.tif 000003
【図２】
2009191431.tif 000004
【図３】
2009191431.tif 000005
【図４】
2009191431.tif 000006
【図５】
2009191431.tif 000007
【図６】
2009191431.tif 000008
【図７】
2009191431.tif 000009
【図８】
2009191431.tif 000010
【図９】
2009191431.tif 000011
【図１０】
2009191431.tif 000012